(57)【要約】【課題】ロール状のブラシに付着したゴミを掻き取るゴミ掻き取り部材をユーザにとって安全となるように備えた清掃装置を得ることを目的とする。【解決手段】底部が開口した箱状の筐体２と、筐体２の一端寄り両壁に回転自在に枢支されたロール状のブラシ３と、筐体２内のブラシ３を除いた他端側に形成されたダストボックス４と、ダストボックス４の開口部を回動して閉鎖自在とする蓋５と、筐体２における蓋５とは反対側の上部内面に先端がブラシの表面と接触するよう取り付けられたゴミ掻き取り部材７とを備えたものである。【選択図】図１
2008104633.tif 000002
【特許請求の範囲】
【請求項１】
底部が開口した筐体と、
筐体の一端寄り両壁に回転自在に枢支されたロール状のブラシと、
筐体内のブラシを除いた他端側に形成されたダストボックスと、
ダストボックスの開口部を動かして閉鎖自在とする蓋と、
筐体における蓋とは反対側の上部内面に先端がブラシの表面と接触するよう取り付けられたゴミ掻き取り部材と、
を備えたことを特徴とする清掃装置。
【請求項２】
前記ブラシの回転軸と前記蓋の回動軸とを同軸にしたことを特徴とする請求項１記載の清掃装置。
【請求項３】
前記ゴミ掻き取り部材を前記筐体の内面に一端を固定したバネで前記ブラシに向けて常時付勢していることを特徴とする請求項１又は２記載の清掃装置。
【請求項４】
前記筐体又は前記蓋に取っ手を設けたことを特徴とする請求項１〜３のいずれかに記載の清掃装置。
【請求項５】
前記筐体と前記蓋の両方又はいずれか一方を透明としたことを特徴とする請求項１〜４のいずれかに記載の清掃装置。
【請求項６】
前記筐体と前記蓋とを着色透明としたことを特徴とする請求項１〜４のいずれかに記載の清掃装置。
【請求項７】
前記筐体と前記蓋の両方の全部又は一部にシボ加工を設けたことを特徴とする請求項１〜４のいずれかに記載の清掃装置。
【請求項８】
前記筐体と前記蓋とに抗菌、防カビ剤を入れたことを特徴とする請求項１〜７のいずれかに記載の清掃装置。
【請求項９】
前記請求項１〜８のいずれかに記載の清掃装置を、フィルタを有する機器のフィルタに接触するように配置したことを特徴とするフィルタを有する機器。
【請求項１０】
前記フィルタを有する機器は、空気清浄機、換気扇又は空気調和機の室内機であることを特徴とする請求項９記載のフィルタを有する機器。
【発明の詳細な説明】
【技術分野】
【０００１】
本発明は、ロール状のブラシを有する清掃装置及びフィルタを有する機器、特にゴミ掻き取り部材からユーザを保護するようにしたものに関する。
【背景技術】
【０００２】
従来の清掃装置は、ダストボックスの蓋に櫛状のゴミ掻き取り部材が固定され、ゴミを捨てるため蓋を開くと、ロール状のブラシからゴミ掻き取り部材が離れる構造となっていた。（例えば、特許文献１参照。）
【０００３】
【特許文献１】特開２００３−３２０３２２号公報（第５頁、図６）
【発明の開示】
【発明が解決しようとする課題】
【０００４】
従来の清掃装置は、ロール状のブラシに付着したゴミをかき取るゴミ掻き取り部材はギザギザ形状のプレートであり、ゴミを捨てるため蓋を開くと、ロール状のブラシからゴミ掻き取り部材が離れるため、ユーザーが触れやすくなり、怪我の恐れがあるという問題があった。
【０００５】
本発明は、上記のような課題を解決するためになされたもので、ロール状のブラシに付着したゴミを掻き取るゴミ掻き取り部材をユーザにとって安全となるように備えた清掃装置を得ることを目的とする。
【課題を解決するための手段】
【０００６】
本発明に係る清掃装置は、底部が開口した筐体と、筐体の一端寄り両壁に回転自在に枢支されたロール状のブラシと、筐体内のブラシを除いた他端側に形成されたダストボックスと、ダストボックスの開口部を動かして閉鎖自在とする蓋と、筐体における蓋とは反対側の上部内面に先端がブラシの表面と接触するよう取り付けられたゴミ掻き取り部材とを備えたものである。
【発明の効果】
【０００７】
以上説明したように本発明に係る清掃装置は、底部が開口した筐体の一端寄り両壁にロール状のブラシが回転自在に枢支され、筐体内のブラシを除いた他端側にダストボックスが形成され、そのダストボックスの開口部を動く蓋で閉鎖自在とし、筐体における蓋とは反対側の上部内面に先端がブラシの表面と接触するようゴミ掻き取り部材が取り付けられているので、蓋が開いてもゴミ掻き取り部材の先端はブラシの表面と接触したままであり、ゴミ掻き取り部材にはユーザーが触りにくくなっており、ゴミ掻き取り部材でユーザが怪我の恐れのない安全な清掃装置を得ることができるという効果がある。
【発明を実施するための最良の形態】
【０００８】
実施の形態１．
図１は本発明の実施の形態１の清掃装置を示す斜視図、図２は同清掃装置を示す断面図、図３は同清掃装置のダストボックスを開いた状態を示す断面図である。
図１、２において、本発明の実施の形態１の清掃装置１は、底部が開口した箱状の例えば、プラスチック製の筐体２の一端寄り両壁に設けた軸穴２ａにロール状のブラシ３の軸３ａを回転自在に枢支させ、筐体２の他端側をダストボックス４とするように構成されている。
筐体２のダストボックス４が形成された他端側の両壁底部寄りに蓋５の一端が回動自在に取り付けられている。その蓋５の自由端である先端に傾斜面部６が設けられている。
その傾斜面部６の両端面に凸部６ａがそれぞれ設けられ、筐体２の両側壁内面に傾斜面部６の凸部６ａと係合する凹部２ｂがそれぞれ設けられている。
【０００９】
そして、蓋５がダストボックス４の開口部を閉鎖するように閉じられると、蓋５の傾斜面部６の両端面に設けられた凸部６ａが筐体２の両側壁内面に設けられた凹部２ｂに係合して蓋５が閉じた状態に維持される。
筐体２の上部内面の一端寄りに櫛歯状のゴミ掻き取り部材７が垂下するように取り付けられており、その先端はブラシ３の表面と接触している。
【００１０】
次に、本発明の実施の形態１の清掃装置の動作を説明する。
本発明の実施の形態１の清掃装置１を被清掃面に載置すると、清掃装置１のブラシ３の下端部が被清掃面に接する。この状態で清掃装置１を前進させると、ブラシ３が半時計回りに回転し、ブラシ３の回転により被清掃面上のゴミ１０は、蓋５の傾斜面部６に案内されて掃き上げられ、その後にブラシ３がゴミ掻き取り部材７により梳かれることにより、ブラシ３からゴミ１０が分離され、ブラシ３の上部からダストボックス４に収容される。
【００１１】
次に、ダストボックス４にゴミ１０が溜まったので、そのゴミ１０を外部に捨てる場合、蓋５の傾斜面部６に手をかけて下に引っ張り、蓋５の凸部６ａと筐体２の凹部２ｂとの係合を解除させると、図３に示すように蓋５は回動して開く。なお、蓋５はスライドして開くようにしてもよい。
このように蓋５が開いても、蓋５とは反対側の筐体２の上部内面の一端寄りに櫛歯状のゴミ掻き取り部材７が取り付けられているので、蓋５が開いてもゴミ掻き取り部材７の先端はブラシ３の表面と接触したままであり、ゴミ掻き取り部材７にはユーザーが触りにくくなっており、ゴミ掻き取り部材７でユーザが怪我の恐れのない安全な清掃装置を得ることができる。
【００１２】
実施の形態２．
図４は本発明の実施の形態２の清掃装置を示す断面図である。
この実施の形態２において、実施の形態１と同様の構成は同一符号を付して重複した構成の説明を省略する。
この実施の形態２は、ロール状のブラシ２の軸２ａとダストボックス４の開口部を開閉する蓋５の回動軸とを同軸にしたものである。
【００１３】
すなわち、蓋５の両側にそれぞれ傾斜面部６を越えるように回動用板８を取り付け、その回動用板８の傾斜面部６を越えた先端側にブラシ３の軸３ａを嵌めることができる回動用穴８ａを設けたものである。
そして、ダストボックス４の開口部を開閉する蓋５の取り付けは、ブラシ３の軸３ａに蓋５の両側にそれぞれ取り付けた回動用板８の回動用穴８ａを嵌めておき、しかる後にそのブラシ３の軸３ａを筐体２の一端寄り両壁に設けた軸穴２ａに回転自在に枢支させることにより、ブラシ３の軸３ａを蓋５の回動軸として利用して、両者の軸が同軸となる。
【００１４】
なお、この実施の形態２では、蓋５の傾斜面部６とは反対側の端部に立上り部９を設けており、蓋５の立上り部９に凸部９ａが設けられ、筐体２の他端側壁の内面に立上り部９の凸部９ａと係合する凹部２ｂが設けられいる。
そして、蓋５がダストボックス４の開口部を閉鎖するように閉じられると、蓋５の立上り部９に設けられた凸部９ａが筐体２の他端側壁の内面に設けられた凹部２ｂに係合して蓋５が閉じた状態に維持される。
【００１５】
この実施の形態２では、ブラシ３の軸３ａを蓋５の回動軸として利用して、両者の軸が同軸となるようにしたので、ブラシ３の軸３ａと、蓋５の回動軸を別々に設定する必要がなく、筐体２の形状を簡略化でき、金型形状も簡略化することができるものである。
【００１６】
実施の形態３．
図５は本発明の実施の形態３の清掃装置を示す断面図である。
この実施の形態３において、実施の形態１と同様の構成は同一符号を付して重複した構成の説明を省略する。
この実施の形態３は、筐体１の上部内面の一端寄りにゴミ掻き取り部材７がブラシ３に向けて可動可能にに取り付けられており、そのゴミ掻き取り部材７が筐体２の上部内面に取り付けられたバネ保持部材１１のバネ１２によりブラシ３に向けて常時付勢されている。
【００１７】
この実施の形態３では、筐体２の上部内面に取り付けられたバネ保持部材１１のバネ１２により、筐体１の上部内面にブラシ３に向けて可動可能に取り付けられたゴミ掻き取り部材７をブラシ３に向けて常時付勢しているので、例えば、部品の寸法精度が悪いために筐体１に回転自在に枢支されたブラシ３に対するゴミ掻き取り部材７の取り付け位置がずれてもバネ１２で吸収し、ブラシ３の先端にゴミ掻き取り部材７が常に押し付けられている清掃装置１を得ることができる。
【００１８】
実施の形態４．
図６は本発明の実施の形態４の清掃装置を示す断面図である。
この実施の形態４において、実施の形態３と同様の構成は同一符号を付して重複した構成の説明を省略する。
この実施の形態４は、ダストボックス４を形成する筐体２の上部に突状の取っ手１３を設けたものである。
この実施の形態４では、清掃装置１の筐体２の上部に取っ手１３を設けたので、清掃装置１を持ち易くして使い勝手をよくしている。
なお、筐体２の上部に取っ手１３を設けているが、蓋５に取っ手１３を設けるようにしても、清掃装置１を持ち易くして使い勝手がよくなるものである。
【００１９】
実施の形態５．
本発明の実施の形態５の清掃装置は、上記実施の形態１〜４の清掃装置１の筐体２と蓋５とを透明としたものである。なお、筐体２のみ、蓋５のみを透明としてもよい。
この実施の形態５では、清掃装置１の筐体２と蓋５の両方又はいずれか一方を透明としたので、ダストボックス４内に溜まったゴミ１０をユーザが確認することができる。
【００２０】
実施の形態６．
本発明の実施の形態６の清掃装置は、上記実施の形態１〜４の清掃装置１の筐体２と蓋５とを着色透明としたものである。
この実施の形態６では、清掃装置１の筐体２と蓋５とを着色透明としたので、ダストボックス４内に溜まったゴミ１０が直接見えにくくなり、ユーザが汚いと感じにくくすることができる。
【００２１】
実施の形態７．
本発明の実施の形態７の清掃装置は、上記実施の形態１〜４の清掃装置１の筐体２と蓋５の全部又は一部にシボ加工を設けたものである。
この実施の形態７では、清掃装置１の筐体２と蓋５の両方の全部又は一部にシボ加工を設けたので、ダストボックス４内に溜まったゴミ１０が直接見えにくくなり、ユーザが汚いと感じにくくすることができる。
【００２２】
実施の形態８．
本発明の実施の形態７の清掃装置は、上記実施の形態１〜４の清掃装置１の筐体２と蓋５とに抗菌、防カビ剤を入れたものである。
この実施の形態８では、清掃装置１の筐体２と蓋５とに抗菌、防カビ剤を入れたので、ダストボックス４内に溜まったゴミ１０によるカビや雑菌の繁殖を抑えることができる。
【００２３】
実施の形態９．
図７は本発明の実施の形態９のフィルタを有する機器のフィルタと清掃装置との関係を示す断面図である。
本発明の実施の形態９のフィルタを有する機器は、上記実施の形態１〜８の清掃装置１を空気清浄機や換気扇等のフィルタを有する機器のフィルタ１６に接触するように配置してなるものである。
そして、空気清浄機や換気扇等のフィルタを有する機器内で清掃装置１を動かしてフィルタ１６に付着している埃を取り除くか、空気清浄機や換気扇等の機器からフィルタ１６と清掃装置１を外部に取り出し、フィルタ１６に付着している埃を取り除くようにしている。
【００２４】
この実施の形態９では、清掃装置１を空気清浄機や換気扇等のフィルタを有する機器のフィルタ１６に接触するよう配置してなるので、フィルタ１６に付着している埃を取り除くことができ、埃による空気抵抗増加の少ないフィルターを得ることができる。
【００２５】
実施の形態１０．
図８は本発明の実施の形態１０の空気調和機のフィルタと清掃装置の関係を示す断面図である。
この実施の形態１０は上記実施の形態１〜８の清掃装置１を空気調和機の室内機２０に配置してなるものである。
この空気調和機の室内機２０は、箱形状の室内機本体２１と、室内機本体２１の前面に設けられた前面グリル２２と、室内機本体２１の上部に設けられた吸込口２３と、室内機本体２１の下部に設けられた吹出口２４と、室内機本体２１の内部の吸込口側に設けられた熱交換器２５と、室内機本体２１の内部の吹出口側に設けられた送風機２６とで主に構成されている。２７はドレンパン、２８は風向変更装置である。
【００２６】
その室内機２０の熱交換器２５と吸込口２３及び前面グリル２２の一部との間にフィルタ２７が設けられており、そのフィルタ２７と前面グリル２２との間に図８に示すように、清掃装置１がフィルタ２７と接触するように配置されている。そして、フィルタ２７は下方に移動した後に元の位置に戻るように構成されている。
従って、清掃装置１に対してフィルタ２７が移動することにより、フィルタ２７に付着した埃を清掃装置１で取り除くようにしている。なお、フィルタではなく、清掃装置１を移動させるようにしてもよい。
【００２７】
この実施の形態１０では、清掃装置１を室内機２０の前面グリル２２とフィルタ２７との間に配置してなるので、清掃装置１によりフィルタ２７に付着している埃を取り除くことができ、埃による空気抵抗増加の少ないフィルタ２７を有する空気調和機の室内機を得ることができる。
【図面の簡単な説明】
【００２８】
【図１】本発明の実施の形態１の清掃装置を示す斜視図。
【図２】同清掃装置を示す断面図。
【図３】同清掃装置のダストボックスを開いた状態を示す断面図。
【図４】本発明の実施の形態２の清掃装置を示す断面図。
【図５】本発明の実施の形態３の清掃装置を示す断面図。
【図６】本発明の実施の形態４の清掃装置を示す断面図。
【図７】本発明の実施の形態９のフィルタを有する機器のフィルタと清掃装置の関係を示す断面図。
【図８】本発明の実施の形態１０の空気調和機のフィルタと清掃装置との関係を示す断面図。
【符号の説明】
【００２９】
１  清掃装置、２  筐体、２ａ  軸穴、３  ブラシ、３ａ  軸、４  ダストボックス、５  蓋、６  傾斜面部、７  ゴミ掻き取り部材、１０  ゴミ。
【図１】
2008104633.tif 000003
【図２】
2008104633.tif 000004
【図３】
2008104633.tif 000005
【図４】
2008104633.tif 000006
【図５】
2008104633.tif 000007
【図６】
2008104633.tif 000008
【図７】
2008104633.tif 000009
【図８】
2008104633.tif 000010